(57)【要約】【課題】ファクシミリ装置から送信された相手先の電話番号を自動的に誤った相手であることを検出しつつ、操作者にも誤送信を確認させることにより、より精度の高い誤送信の防止を図ることができるファクシミリアダプタを提供する。【解決手段】このファクシミリアダプタ１０は、ファクシミリ装置Ｆから電話回線網ＰＳＴＮへ発信された電話番号を監視して相手先の電話番号を検出するＤＴＭＦ検出部１３と、許可番号が格納されている記憶部１７と、電話回線を電気的に切断するスイッチ部１２と、電話番号検出部が検出した相手先の電話番号を表示パネル部１４に表示し、スピーカ１６ｂから音声にて報知すると共に、相手先の電話番号と許可番号とを比較して一致しないときにスイッチ部１２に電話回線の切断を指示する制御部１９とを備えている。また、制御部１９は、操作ボタン１６の押下を検出したときにも、スイッチ部１２に電話回線の切断を指示する。【選択図】図１
2012205010.tif 000002
【特許請求の範囲】
【請求項１】
ファクシミリを送信するファクシミリ装置と、電話回線網との間に接続されるファクシミリアダプタにおいて、
前記ファクシミリ装置からの電話回線上の電話番号を監視してファクシミリの相手先の電話番号を検出する電話番号検出部と、
許可する相手先の電話番号が許可番号として格納される記憶部と、
前記電話回線を電気的に切断するスイッチ部と、
前記電話番号検出部が検出した相手先の電話番号を表示または音声にて報知すると共に、当該相手先の電話番号と前記記憶部に格納された許可番号とを比較して一致しないとき、または操作ボタンの押下を検出したときに前記スイッチ部に前記電話回線の切断を指示する制御部とを備えたことを特徴とするファクシミリアダプタ。
【請求項２】
前記制御部は、前記電話番号検出部が相手先の電話番号を検出する前に、前記操作ボタンが押下されたことを検出したときに、前記記憶部に格納された許可番号との比較をしない請求項１記載のファクシミリアダプタ。
【発明の詳細な説明】
【技術分野】
【０００１】
本発明は、ファクシミリ装置と電話回線網との間に接続され、ファクシミリ装置からの誤送信を防止することができるファクシミリアダプタに関するものである。
【背景技術】
【０００２】
相手先を誤ってファクシミリを送ると、ファクシミリの内容によっては大きな問題となる。また、ファクシミリの内容に問題がなくても、相手先に迷惑がかかる。ファクシミリの誤送信を防止する技術に関しては、例えば、特許文献１に記載されたものが知られている。
【０００３】
特許文献１には、メモリ部に蓄積されたファクシミリ装置からの相手先番号と、ファックス番号が記録されているバーコードで読み取った相手先番号とを照合し、照合結果が異なった場合に、ファクシミリからの送信を停止させるファクシミリ誤送信防止アダプタ及びその方法が記載されている。また、この特許文献１では、メモリ部へのダイヤル番号の蓄積を行わずに回線側にスルーをさせたままダイヤル番号を認識し、バーコードデータと異なっていたと判定した場合に、回線の接続を一時的に切断すればよいことが記載されている。
【先行技術文献】
【特許文献】
【０００４】
【特許文献１】特開２００７−２８５６５号公報
【発明の概要】
【発明が解決しようとする課題】
【０００５】
しかし、特許文献１に記載の従来のファクシミリアダプタでは、相手先の電話番号をバーコードにて読み取っているため、読み取り操作を行う必要があり煩雑である。また、ファクシミリ装置から誤った相手先の電話番号をダイヤルし、誤った相手先のバーコードを読み込ませるおそれもあり、その場合には、相手先の電話番号が一致してしまうため、誤送信となってしまう。誤送信の防止は全てが自動的に行われればよいが、誤った情報の全てが一致してしまうと相手先にファクシミリが送信されてしまう。
【０００６】
そこで本発明は、ファクシミリ装置から送信された相手先の電話番号を自動的に誤った相手であることを検出しつつ、操作者にも誤送信を確認させることにより、より精度の高い誤送信の防止を図ることができるファクシミリアダプタを提供することを目的とする。
【課題を解決するための手段】
【０００７】
本発明は、ファクシミリを送信するファクシミリ装置と、電話回線網との間に接続されるファクシミリアダプタにおいて、前記ファクシミリ装置からの電話回線上の電話番号を監視してファクシミリの相手先の電話番号を検出する電話番号検出部と、許可する相手先の電話番号が許可番号として格納される記憶部と、前記電話回線を電気的に切断するスイッチ部と、前記電話番号検出部が検出した相手先の電話番号を表示または音声にて報知すると共に、当該相手先の電話番号と前記記憶部に格納された許可番号とを比較して一致しないとき、または操作ボタンの押下を検出したときに前記スイッチ部に前記電話回線の切断を指示する制御部とを備えたことを特徴とする。
【０００８】
本発明のファクシミリアダプタは、電話番号検出部がファクシミリの相手先の電話番号を検出すると、制御部が、その相手先の電話番号を表示または音声にて報知すると共に、記憶部に格納された許可番号を読みだして、相手先の電話番号と比較する。そして一致しないときに、スイッチ部に電話回線を電気的に切断するように指示する。また、相手先の電話番号を表示または音声にて報知することにより操作者が誤りに気が付き、操作ボタンを押下すると、制御部が、操作ボタンの押下を検出することで、スイッチ部に電話回線の切断を指示する。そうすることで、許可番号でない相手先であれば誤送信が自動的に検出され、送信を中止することができる。また、登録していた相手先であっても、相手先を取り違えていた場合には、相手先の電話番号を表示または音声にて操作者に報知するため、誤送信を認識させることができる。
【０００９】
前記制御部は、前記電話番号検出部が相手先の電話番号を検出する前に、前記操作ボタンが押下されたことを検出したときに、前記記憶部に格納された許可番号との比較をしないのが望ましい。
許可番号として登録されていない相手先でも、ファクシミリを送信したい場合がある。その場合に、電話番号検出部により相手先の電話番号が検出される前であれば、操作者が操作ボタンを押下することで、制御部は記憶部に格納された許可番号との比較をしないので、任意の相手先にファクシミリを送信することができる。
【発明の効果】
【００１０】
本発明のファクシミリアダプタによれば、許可番号でない相手先であれば誤送信を自動的に検出して送信を中止することができ、相手先が登録されていても、相手先を取り違えていた場合には、相手先の電話番号を表示または音声にて操作者に報知するため、誤送信を認識させることができるので、ファクシミリ装置から送信された相手先の電話番号を自動的に誤った相手であることを検出しつつ、操作者にも誤送信を確認させることができる。従って、本発明のファクシミリアダプタは、より精度の高い誤送信の防止を図ることができる。
【図面の簡単な説明】
【００１１】
【図１】本発明の実施の形態に係るファクシミリアダプタの構成を示すブロック図である。
【図２】図１に示すファクシミリアダプタの記憶部に格納される相手先の名称と許可番号を示す図である。
【図３】図１に示すファクシミリアダプタの動作を説明するためのフローチャートである。
【発明を実施するための形態】
【００１２】
本発明の実施の形態に係るファクシミリアダプタを図面に基づいて説明する。
図１に示すように、ファクシミリアダプタ１０は、相手先の電話番号を発信し、ファクシミリを送信するファクシミリ装置Ｆと、電話回線網ＰＳＴＮ（Public Switched Telephone Networks）との間に接続されている。
ファクシミリアダプタ１０は、オンフック／オフフック検出部１１と、スイッチ部１２と、ＤＴＭＦ検出部１３と、ＬＣＤパネル部１４と、音声再生部１５と、操作ボタン１６と、記憶部１７と、ログ部１８と、制御部１９とを備えている。
【００１３】
オンフック／オフフック検出部１１は、ファクシミリ装置Ｆがオンフックまたはオフフックされたことを検出して、制御部１９へ通知するものである。
スイッチ部１２は、制御部１９からの指示により、電話回線を電気的に切断する機能を備えている。スイッチ部１２は、例えば、ワイヤである電話線の接続や切り離しを機械的に行うリレーとしたり、電気的に行うサイリスタやソリッドステートリレーなどの半導体リレーとしたりすることができる。
ＤＴＭＦ検出部１３は、ファクシミリ装置Ｆからの電話回線上の電話番号を監視して、ファクシミリの相手先の電話番号を検出する電話番号検出部として機能するものである。ＤＴＭＦ検出部１３と電話回線との接続は、ＤＴＭＦ検出部１３に内蔵されたフォトカプラを介在させることで電話回線と電気的に分離されている。
【００１４】
表示パネル部１４は、制御部１９からの相手先の電話番号を示す表示データに基づいて表示を行うことにより、相手先の電話番号を操作者に報知するものである。表示パネル部１４は、例えば、ＬＣＤが使用できる。
音声再生部１５は、アンプ部１５ａとスピーカ１５ｂとから構成されている。制御部１９からの相手先の電話番号を示す音声信号に基づいて発声を行うことにより、相手先の電話番号を操作者に報知するものである。
操作ボタン１６は、ファクシミリアダプタ１０の筐体（図示せず）に配置されたボタンである。操作ボタン１６の押下状態や非押下状態は、制御部１９から読み取ることができる。
【００１５】
記憶部１７は、許可する相手先の名称と、この相手先の電話番号である許可番号とが電話帳情報として格納されている。例えば、電話帳情報は、図２に示すようなデータとすることができる。電話帳情報は、記憶部１７に予め登録しておく必要がある。こ登録は、３種類の方法により行うことができる。
（１）ファクシミリアダプタ１０に通信部（例えば、ＲＳ−２３２ＣやＵＳＢ）を設け、通信ケーブルを介して通信部とパーソナルコンピュータとを接続して、パーソナルコンピュータ上で作成した電話帳情報を記憶部１７内に送り込む方法。
（２）ファクシミリアダプタ１０にテンキーパッド（番号キー）を設け、電話情報が記載された帳票に基づいて入力すると共に、また入力された電話番号や相手先の名称を表示部１４に表示させて確認しながら入力する方法。
（３）パーソナルコンピュータ上で作成した電話帳情報を、可搬型のメモリ媒体に格納しし、そのメモリ媒体をファクシミリアダプタ１０に装着することで、メモリ媒体自体を記憶部１７として利用する方法。
【００１６】
本実施の形態では、（３）の方法を採用している。この場合、メモリ媒体は後述するログ部１８としても機能させることができる。そうすることで、メモリ媒体を取り出してパーソナルコンピュータからログデータを読み取れば、ログデータを保存したり参照したり加工したりするのが容易であるため、履歴管理を容易に行うことができる。
メモリ媒体は、例えば、ＵＳＢメモリとしたり、不揮発性メモリが封入されたメモリカードとしたりすることができる。メモリカードであれば、例えば、ＳＤカードやコンパクトフラッシュ（登録商標）、メモリースティック（商標）などとすることができる。
ログ部１８は、制御部１９が処理を行うごとにログデータが記録されるメモリである。
【００１７】
制御部１９は、記憶部１７から許可番号を読み出す機能と、スイッチ部へ電話回線の切断を指示する機能と、表示パネル部１４に表示データを出力する機能と、音声再生部１５に音声信号を出力する機能と、操作ボタン１６の状態を読み取る機能と、ログ部１８へログを記録する機能とを備えている。
【００１８】
以上のように構成された本発明の実施の形態に係るファクシミリアダプタ１０の動作および使用状態について、図３に基づいて説明する。
まず、制御部１９は、操作ボタン１６が押下されたか否かを判定する（ステップＳ１０）。ファクシミリ装置Ｆがオフフックする前に操作ボタン１６が押下されたことで、相手先のチェックを行わないモードとなる。本実施の形態では、制御部１９は、操作ボタン１６が２秒間の長押しをされたか否かを判定することで、誤操作の防止を図っている。操作ボタン１６の押下が検出された場合には、全てのチェックをバイパスする。
【００１９】
次に、制御部１９は、オンフック／オフフック検出部１１からのファクシミリ装置Ｆのオフフックの検出の有無を判定する（ステップＳ２０）。ファクシミリ装置Ｆのオフフックが検出されれば、次に、ＤＴＭＦ検出部１３からの相手先の電話番号の最初の番号の検出を待つ（ステップ３０）
ＤＴＭＦ検出部１３により相手先の電話番号が検出された場合に、制御部１９はＤＴＭＦ検出部１３から通知された電話番号の一部となる数字を表示データとして、表示パネル部１４に出力する。例えば、検出された相手先の電話番号が、まず「０」であれば「０」を表示する（ステップＳ４０）。
【００２０】
次に、制御部１９は、ＤＴＭＦ検出部１３から通知された電話番号の一部となる数字を音声にて操作者に報知するために、音声再生部１５のアンプ部１５ａへ音声信号を出力することで、スピーカ１５ｂから発声させる。例えば、検出された相手先の電話番号が、まず「０」であれば「ゼロ」と発声する（ステップＳ５０）。
次に、制御部１９は、記憶部１７から許可する相手先の電話番号である許可番号を読み取り、ＤＴＭＦ検出部１３が検出した相手先の電話番号と順次比較する（ステップＳ６０）。
【００２１】
そして、制御部１９は、ファクシミリ装置Ｆから発信された電話番号が終了したか、否かを判定する。この判定は、ファクシミリ装置Ｆからの電話番号の発信が約４秒以内にあるかないかで決定される（ステップＳ７０）。このように電話番号の一桁ずつを、逐次、監視して、表示したり発声したり比較したりすることで、電話番号を記憶部１７に蓄積することなく判定することができる。
【００２２】
ステップＳ６０にて、順次比較された結果、ファクシミリ装置Ｆからの相手先の電話番号と、記憶部１７に登録された許可番号とに、一致したものがあるか否かを判定する（ステップＳ８０）。
ステップＳ８０の結果が一致であれば、制御部１９は、記憶部１７から許可番号に対応する相手先の名称を読み出して表示パネル部１４に表示する（ステップＳ９０）。ステップＳ８０の結果が一致していなければ、回線を切断するためにステップＳ１１０へ移行する。
【００２３】
制御部１９は、操作ボタン１６が押下されたか否かを判定する。これは、表示パネル部１４に表示された相手先の電話番号や、スピーカ１６ｂから発声された相手先の電話番号を見たり、聞いたりして、操作者が登録されている相手であっても、間違った相手先にファクシミリを送信しようとしていることに気がついた場合に、操作者が操作ボタン１６を押下して制御部１９に通知することで、ファクシミリ装置Ｆの発信を取りやめさせるためのである。
制御部１９は、操作ボタン１６の押下を検出すると、スイッチ部１２に電話回線の切断を指示する。また、ステップＳ８０から移行してきた場合には、許可番号にない相手先へファクシミリを送信しようとしているケースであるため、この場合も、制御部１９は、スイッチ部１２に電話回線の切断を指示することで、ファクシミリ装置Ｆの発信を取りやめさせる（ステップＳ１１０）。
【００２４】
ステップＳ１００にて、操作ボタン１６の押下が検出されない場合には、ファクシミリ装置Ｆが発信するファクシミリの送信相手のことを、操作者は問題ないと判定していると思われるので、そのままファクシミリの送信を継続する。ファクシミリは電話回線網ＰＳＴＮへ送信される。
次に、制御部１９は、通話が完了したか否かを判定する（ステップＳ１２０）。通話が完了していなければ、制御部１９はステップＳ１００へ移行して、操作ボタン１６の監視を行う。
ステップＳ１２０にてファクシミリ装置Ｆによる通信が完了すれば、制御部１９は、相手先の電話番号や名称と、終了時間をテキスト形式のログデータとしてログ部１８へ記録し、ステップＳ１０へ移行する（ステップＳ１３０）。また、ステップＳ１０にて、相手先のチェックを行わないモードと判定された場合にも、終了時間をテキスト形式のログデータとしてログ部１８へ記録し、ステップＳ１０へ移行する。このとき、ログデータはＣＳＶ形式としてもよい。
【００２５】
このように、ファクシミリアダプタ１０は、許可番号でない相手先であれば誤送信を自動的に検出するので、送信を中止することができる。また、登録されている相手先であっても、相手先を取り違えていた場合には、相手先の電話番号を表示または音声にて操作者に報知するため、誤送信を認識させることができる。
また、ファクシミリアダプタ１０では、ＤＴＭＦ検出部１３に内蔵されたフォトカプラを介在させて、電話回線と電気的に分離された状態で、ファクシミリ装置Ｆからの電話番号を取り込んでいるので、ＤＴＭＦ信号の劣化を最小限に抑えることができる。また、万が一にファクシミリアダプタ１０が故障しても電話回線へ影響を与えないようにすることができる。更に、電話番号をファクシミリアダプタ１０へ取り込むことなく、ファクシミリの送信を中止させるので、ファクシミリアダプタ内へ取り込みメモリ等に格納することで発生する誤動作を防止することができる。
【００２６】
また、ファクシミリ装置Ｆからファクシミリを送信する前に、操作ボタン１６を押下することで、許可番号のチェックを行いわないモードとすることができるので、任意の相手先にファクシミリを送信することができる。
【産業上の利用可能性】
【００２７】
本発明は、ファクシミリ装置と電話回線網との間に接続されるファクシミリアダプタに好適である。特に、本発明は、誤送信防止機能の付いてないファクシミリ装置に接続するファクシミリアダプタに最適である。
【符号の説明】
【００２８】
１０  ファクシミリアダプタ
１１  オンフック／オフフック検出部
１２  スイッチ部
１３  ＤＴＭＦ検出部
１４  表示パネル部
１５  音声再生部
１６ａ  アンプ部
１６ｂ  スピーカ
１６  操作ボタン
１７  記憶部
１８  ログ部
１９  制御部
Ｆ  ファクシミリ装置
ＰＳＴＮ  電話回線網
【図１】
2012205010.tif 000003
【図２】
2012205010.tif 000004
【図３】
2012205010.tif 000005